(57)【特許請求の範囲】
【請求項１】
監視時に商品との分離をロックした状態で商品に取り付けられる監視用タグ手段と、前記監視用タグ手段の前記ロックを解除する解除手段と、固定設置され前記解除手段を保持する保持手段と、を有する盗難監視装置であって、
前記解除手段は、
前記保持手段に保持されたか否かを検出するホルダー接続部と、
前記保持手段から取り外されると、前記保持手段に保持されなくとも連続使用が可能となる第１の時間を計時するタイマー部と、
前記タイマー部が前記第１の時間を計時したときに警報出力する警報出力部と、
前記監視用タグ手段の前記ロックを解除する解除機能を備える解除部と、
前記第１の時間を計時後、更に前記解除機能の停止を判断するための第２の時間が経過しても前記保持手段に保持されないと、前記解除部の前記解除機能を停止し、前記保持手段に保持されたときに前記解除部の前記解除機能を復帰する解除無効部と
を具備することを特徴とした盗難監視装置。
【請求項２】
監視時に商品との分離をロックした状態で商品に取り付けられる監視用タグ手段の前記ロックを解除する警報タグ解除装置であって、
固定設置される保持手段に保持されたか否かを検出するホルダー接続部と、
前記保持手段から取り外されると、前記保持手段に保持されなくとも連続使用が可能となる第１の時間を計時するタイマー部と、
前記タイマー部が前記第１の時間を計時したときに警報出力する警報出力部と、
前記監視用タグ手段の前記ロックを解除する解除機能を備える解除部と、
前記第１の時間を計時後、更に前記解除機能の停止を判断するための第２の時間が経過しても前記保持手段に保持されないと、前記解除部の前記解除機能を停止し、前記保持手段に保持されたときに前記解除部の前記解除機能を復帰する解除無効部と
を具備することを特徴とした警報タグ解除装置。
【発明の詳細な説明】
【０００１】
【発明の属する技術分野】
本発明は、店舗などに置かれた商品の盗難防止を図る盗難監視装置および警報タグ解除装置に関する。
【０００２】
【従来の技術】
店舗などには、商品の盗難防止を図るために、盗難監視装置が設置されていることがある。
このような盗難防止装置は、例えば、アンテナユニット、ブザータグおよび解除キーなどを備えている。
ブザータグは、商品に取り付けられたときにその商品から分離されることをロックするロック機構と、電磁波を発信する発信部と、アンテナユニットからの電磁波を受信する受信部と、電磁波の受信に応じて警報を発する警報部とを有する。
【０００３】
アンテナユニットは、店舗の出入口に設置され、電磁波を発信する発信部と、ブザータグからの電磁波を受信する受信部と、電磁波の受信に応じて警報を発する警報部とを有する。
解除キーは、レジなどに置かれ、商品の清算を行う際に、店員によって、商品に取り付けられたブザータグが装着され、内蔵された磁石によってロック機構を解除し、商品からブザータグを取り外す。この解除キーは、一般的に、片手で持てる程度の大きさおよび重量を有し、店員が、一方の手で解除キーを持ち、他方の手でブザータグを持ちながら使用される。
【０００４】
この盗難防止装置では、盗難者が、レジで清算を行わずに、商品を持ち去ろうとして出入口に来たときに、ブザータグから発せられる電磁波をアンテナユニットが受信すると共に、アンテナユニットから発せられる電磁波をブザータグが受信し、アンテナユニットおよびブザータグの双方から警報が発せられる。この警報により、従業員は、その商品が盗難されようとしていることを即座に知ることができる。
【０００５】
一方、お客が、商品をレジにて清算するとき、店員は、商品に取り付けられたブザータグを解除キーに装着し、警報を発することなく、商品からブザータグを取り外す。そのため、お客が正当に購入した商品を出入口から店外に持ち出すときに、アンテナユニットから警報は発せられない。
【０００６】
【発明が解決しようとする課題】
ところで、解除キーは盗難者が持ち去ることができる程度の大きさおよび重量をしており、解除キーが不正に使用されると、盗難監視装置の機能を適切に発揮できないことから、店主や店員は、解除キーが盗まれないように注意を払っている。
すなわち、盗難者によって、解除キーが不正に店外に持ち出され、同種の盗難監視装置が設置してある店に持ち込まれると、盗難者は、ブザータグを商品から取り外し、警報を鳴らすことなく、商品を容易に店外に持ち出すことができる。
【０００７】
このような事態を防ぐため、店舗などでは、店員が目視により、解除キーの所在を監視している。しかしながら、目視によって、解除キーを監視するのでは、店員の負担が大きく、また、十分な監視を行うことは困難である。
このような問題を解決するために、解除キーに鎖などを付けて、レジに固定することも考えられるが、このような鎖を付けると、解除キーの使い勝手が悪くなり、接客作業に支障をきたす可能性があるという問題がある。また、他店において盗難された解除キーが、盗難者によって店内に持ち込まれたときに、そのことを店員は知ることができず、盗難監視装置の機能が適切に発揮されないという問題もある。
【０００８】
本発明は、上述した従来技術の問題点に鑑みてなされ、解除キーの使い勝手を損なうことなく、解除キーの悪用を効果的に防止できる盗難監視装置および警報タグ解除装置を提供することを目的とする。
【０００９】
【課題を解決するための手段】
上述した従来技術の問題点を解決し、上述した目的を達成するために、本発明の盗難監視装置は、監視時に商品との分離をロックした状態で商品に取り付けられる監視用タグ手段と、前記監視用タグ手段の前記ロックを解除する解除手段と、固定設置され前記解除手段を保持する保持手段と、を有する盗難監視装置であって、前記解除手段は、前記保持手段に保持されたか否かを検出するホルダー接続部と、前記保持手段から取り外されると、前記保持手段に保持されなくとも連続使用が可能となる第１の時間を計時するタイマー部と、
前記タイマー部が前記第１の時間を計時したときに警報出力する警報出力部と、前記監視用タグ手段の前記ロックを解除する解除機能を備える解除部と、前記第１の時間を計時後、更に前記解除機能の停止を判断するための第２の時間が経過しても前記保持手段に保持されないと、前記解除部の前記解除機能を停止し、前記保持手段に保持されたときに前記解除部の前記解除機能を復帰する解除無効部とを具備することを特徴とする。
【００１０】
また、本発明の警報タグ解除装置は、監視時に商品との分離をロックした状態で商品に取り付けられる監視用タグ手段の前記ロックを解除する警報タグ解除装置であって、固定設置される保持手段に保持されたか否かを検出するホルダー接続部と、前記保持手段から取り外されると、前記保持手段に保持されなくとも連続使用が可能となる第１の時間を計時するタイマー部と、前記タイマー部が前記第１の時間を計時したときに警報出力する警報出力部と、前記監視用タグ手段の前記ロックを解除する解除機能を備える解除部と、前記第１の時間を計時後、更に前記解除機能の停止を判断するための第２の時間が経過しても前記保持手段に保持されないと、前記解除部の前記解除機能を停止し、前記保持手段に保持されたときに前記解除部の前記解除機能を復帰する解除無効部とを具備することを特徴とする。
【００１９】
【発明の実施の形態】
以下、本発明の実施形態に係わる盗難監視装置およびブザー（警報）タグ解除装置について説明する。
第１実施形態
先ず、本実施形態に係わるブザータグ解除装置について説明する。
本実施形態に係わるブザータグ解除装置１は、図１に示すような店舗に用いられ、図２に示す電気的要素および図３に示す解除機構を有し、未使用時に、図４に示す解除装置ホルダー５０によって保持される。
この盗難監視装置は、図１に示すように、アンテナユニット３０は出入口４０の近傍に配置してあり、ブザータグ解除装置１および解除装置ホルダー５０は清算などが行われるレジ４３内に配置してある。ブザータグ解除装置１は、使用していないときは、一般的に解除装置ホルダー５０に保持されている。解除装置ホルダー５０は、レジに固定してある。また、図３に示すブザータグ１０は、図１に示す陳列棚４２に収納された各商品に取り付けてある。
【００２０】
図２，図３に示すように、ブザータグ解除装置１は、制御部２、警報出力部３、発信部４、受信部５、本体６、永久磁石７、ソレノイド８、永久磁石移動経路９、解除部６０、解除無効部６１、タイマー部６２およびホルダー接続部６３を有する。
制御部２は、受信部５から受信信号Ｓ５を入力すると、警報出力部３に警報開始信号Ｓ２ａを出力する。
また、制御部２は、ホルダー接続部６３からホルダー非接続信号Ｓ６３を入力すると、タイマー部６２に起動開始信号Ｓ２ｂを出力する。制御部２は、タイマー部６２から起動終了信号Ｓ６２を入力すると、警報出力部３に警報開始信号Ｓ２ａを出力する。
また、制御部２は、起動終了信号Ｓ６２を入力後１０分を経過しても、ホルダー接続部６３からホルダー接続信号Ｓ６３を入力しないときは、解除無効部６１に解除無効信号Ｓ２ｃを出力する。
また、制御部２は、解除無効信号Ｓ２ｃを出力後に、ホルダー接続部６３からホルダー接続信号Ｓ６３を入力すると、解除無効部６１に解除有効信号Ｓ２ｃを出力する。
【００２１】
警報出力部３は、制御部２からの警報開始信号Ｓ２ａに基づいて、メロディ音やブザー音などの警報音を出力する。
【００２２】
発信部４は、例えば周波数１４５ＫＨｚの電磁波を送信する。
受信部５は、例えば周波数３２ＫＨｚの電磁波を受信すると、受信信号Ｓ５を制御部２に出力する。
図３に示すように、本体６は、ブザータグ１０を装着するための装着用凹部６ａを有し、装着用凹部６ａの内面近傍の所定箇所に永久磁石７が内蔵してある。
【００２３】
図２に示す解除部６０は、図３に示す永久磁石７を有し、本体６の装着用凹部６ａに装着されたブザータグ１０に内蔵されたＳＵＳ製のフック係止部１３を磁力によって引っ張る役割を有する。
すなわち、図３に示すように、装着用凹部６ａにブザータグ１０が装着されると、永久磁石７の磁力によって、ＳＵＳ製のフック係止部１３がバネ１４の弾性力に抗して矢印の向きに引かれ、フック係止部１３とフック本体１１の係止用凹部１１ａとの係合が外れる。これによって、フック本体１１は、バネ１２の弾性力によって図中矢印の向きに上昇し、フック本体１１のフック部１１ｂからワイヤー１５を取り外すことができる。すなわち、ブザータグ１０のロック状態が解除され、商品からブザータグ１０を取り外すことができる。
【００２４】
解除無効部６１は、図３に示すソレノイド８および永久磁石移動経路９を有し、制御部２から解除無効信号Ｓ２ｃを入力すると、所定の方向の電流をソレノイド８に流し、この電流によって発生した磁界によって永久磁石７を永久磁石移動経路９に沿って図３中矢印の向きに移動させる。この移動によって、装着用凹部６ａにブザータグ１０が装着されても、永久磁石７の磁力はフック係止部１３に効果的に働かず、その結果、ブザータグ１０のフック係止部１３は回転せず、ブザータグ解除装置１によるブザータグ１０のロック解除動作は行われない。
また、解除無効部６１は、制御部２から解除有効信号Ｓ２ｃを入力すると、前述した方向とは逆の方向の電流をソレノイド８に流し、永久磁石７を元の位置（図３に示す位置）に復帰させる。
【００２５】
タイマー部６２は、制御部２から起動開始信号Ｓ２ｂを入力すると、タイマを起動させ、２時間を経過すると、起動終了信号Ｓ６２を制御部２に出力する。
【００２６】
ホルダー接続部６３は、図３に示すように、接続端子６３ａ，６３ｂを有し、図４に示すように、ブザータグ解除装置１が解除装置ホルダー５０の保持用凹部５０ａに格納（保持）された状態で、接続端子６３ａ，６３ｂのそれぞれを解除装置ホルダー５０に内蔵され、内部抵抗５２が設けられた銅線５１の両端と電気的に接続する。ホルダー接続部６３の内部抵抗５２の抵抗値は、個々の盗難監視装置によって異なる値が用いられている。
【００２７】
ホルダー接続部６３は、電流検出回路を内部に有し、この電流検出回路を用いて、接続端子６３ａ，６３ｂを介して銅線５１と共に形成されたループを流れる電流を検出する。次に、ホルダー接続部６３は、この電流検出回路の検出結果に基づいて、ブザータグ解除装置１が装着された解除装置ホルダー５０の内部抵抗５２の抵抗値を算出し、その算出結果から、解除装置ホルダー５０が適切なものであるか否かを判断する。ホルダー接続部６３は、解除装置ホルダー５０が適切なものであると判断した場合には、制御部２にホルダー接続信号Ｓ６３を出力し、そうでない場合には、ホルダー接続信号Ｓ６３を出力しない。
尚、ホルダー接続部６３は、ブザータグ解除装置１が解除装置ホルダー５０から外されて、電流検出回路が電流を検出しなくなると、制御部２にホルダー非接続信号Ｓ６３を出力する。
【００２８】
上述したブザータグ解除装置１によれば、装着用凹部６ａにブザータグ１０を装着することで、永久磁石７からの磁力によって、ブザータグ１０のロック状態を解除し、商品からブザータグ１０を取り外すことができる。
また、ブザータグ解除装置１では、解除装置ホルダー５０から外された後、２時間を経過すると、警報出力部３から警報が出力され、警報出力後、１０分経過しても、ブザータグ解除装置１が解除装置ホルダー５０に保持されないと、図３に示すように永久磁石７が移動し、ロック解除機能が停止する。
そのため、ブザータグ解除装置１が盗難された場合であっても、一定時間経過後には、そのブザータグ解除装置１は機能せず、盗難されたブザータグ解除装置１を用いて盗難が行われることを防止できる。
【００２９】
尚、店員は、ブザータグ解除装置１を解除装置ホルダー５０から外して使用するとき、２時間経過すると、警報出力部３から警報が出力され、ブザータグ解除装置１を一度、解除装置ホルダー５０に保持する。そして、ブザータグ解除装置１を継続して使用する場合には、ブザータグ解除装置１を解除装置ホルダー５０から取り外し、次の２時間、解除装置ホルダー５０に保持することなく、連続して使用することができる。
また、店員が、警報が出力された後にもブザータグ解除装置１を解除装置ホルダー５０に保持せず、ブザータグ解除装置１のロック解除機能が停止した場合でも、ブザータグ解除装置１を解除装置ホルダー５０に保持することで、永久磁石７は再び元の位置に復帰し、ロック解除機能が再び復活する。
【００３０】
また、ブザータグ解除装置１では、解除装置ホルダー５０の内部抵抗５２が個々の盗難監視装置において異なる抵抗値を有することから、他の解除装置ホルダーに装着しても、ブザータグ解除装置１の解除機能を復活させることはできない。そのため、盗難されたブザータグ解除装置１の悪用を効果的に防止できる。
【００３１】
次に、本実施形態に係わる盗難監視装置に用いられるブザータグについて説明する。
ブザータグ１０は図５に示すような外観をしており、図６に示す電気的要素と図７に示す機械的要素とを有している。
図６に示すように、ブザータグ１０の電気的要素は、商品取付部２１、制御部２２、警報出力部２３、発信部２４および受信部２５を有する。
制御部２２は、受信部２５から受信信号Ｓ２５を入力すると、警報出力部２３に警報開始信号Ｓ２２ａを出力する。また、制御部２２は、商品取付部２１から検出信号Ｓ２１を入力すると、警報出力部２３に警報開始信号Ｓ２２ａを出力する。
警報出力部２３は、制御部２２からの警報開始信号Ｓ２２ａに基づいて、メロディ音やブザー音などの警報を出力する。
【００３２】
発信部２４は、例えば周波数１４５ＫＨｚの電磁波を送信する。
受信部２５は、例えば周波数３２ＫＨｚの電磁波を受信すると、受信信号Ｓ２５を制御部２２に出力する。
商品取付部２１は、例えば、所定の電流源からの電流を流す図７に示すループ状のワイヤー１５と、ワイヤー１５を流れる電流を検出する検出器とを有する。商品取付部２１では、ワイヤー１５が切断され、検出器において電流が検出されなくなると、検出信号Ｓ２１を制御部２２に出力する。
【００３３】
図５，図７に示すように、ブザータグ１０の機械系要素は、フック本体１１、バネ１２，１４、フック係止部１３およびワイヤー１５を有する。
フック本体１１は、リング状のワイヤー１５を引っかけるフック部１１ｂが一端部に設けてあり、フック係止部１３と係合する係止用凹部１１ａが中部に設けてある。フック本体１１の他端部には、フック本体１１を矢印の向きに付勢するバネ１２が固定してある。
フック係止部１３は、ＳＵＳ製の部材を用いて形成され、軸１３ａを中心として回転し、バネ１４によって矢印の向きとは反対向きに回転が付勢されている。フック係止部１３は、フック本体１１がバネ１２の付勢力に抗してブザータグ１０の内部に押し込まれると、バネ１４の付勢力によって、その先端部をフック本体１１の係止用凹部１１ａに嵌め込み、フック本体１１を図７に示す位置に固定する。この状態がロック状態である。
【００３４】
店員は、ブザータグ１０を商品に取り付ける際に、先ず、図３に示すように、フック本体１１のフック部１１ａが外部に突き出た状態で、商品またはその一部をワイヤー１５の内側に巻き付け、フック部１１ｂにワイヤー１５を引っかける。
【００３５】
次に、バネ１２に抗してフック部１１ｂを手などで押し込む。この押し込みによって、フック本体１１が図７に示す位置に達すると、バネ１４の付勢力によってフック係止部１３が矢印の向きに回転し、フック係止部１３がフック本体１１の係止用凹部１１ａに嵌め込まれる。これによって、バネ１２の付勢力によるフック本体１１の上昇移動がロックされる。この状態では、ワイヤー１５を引っ張っても、フック本体１１は移動せず、商品からブザータグ１０を取り外すことはできない。
【００３６】
また、盗難者が、不正にブザータグ１０を商品から取り外すために、ブザータグ１０のワイヤー１５を切断すると、商品取付部２１の検出器がそれを検出し、検出信号Ｓ２１が制御部２２に出力される。これによって、制御部２２から警報出力部２３に警報開始信号Ｓ２２ａが出力され、警報が鳴り、店員はワイヤー１５が切断されたことを知ることができる。
【００３７】
次に、図１に示すアンテナユニット３０について説明する。
アンテナユニット３０は図８に示すような外観を有し、アンテナ器３０ａ，ｂで構成される。アンテナ器３０ａは図９に示す電気的要素を有している。
図８に示すように、アンテナユニット３０は、アンテナ器３０ａ，３０ｂを例えば８０〜２４０ｃｍの間隔で配置して構成される。
図９に示すように、アンテナ器３０ａは、制御部３２、警報出力部３３、発信部３４、受信部３５、発信アンテナ部３６および受信アンテナ部３７を有する。
制御部３２は、受信部３５から受信信号Ｓ３５を入力すると、警報出力部３３に警報開始信号Ｓ３２ａを出力する。
警報出力部３３は、制御部３２からの警報開始信号Ｓ３２ａに基づいて、メロディ音やブザー音などの警報音を出力すると共に、図８に示す先端部に設けられたランプ３３ａを点灯する。
【００３８】
発信部３４および発信アンテナ部３６は、例えば周波数３２ｋＨｚの電磁波を送信する。
受信部３５および受信アンテナ部３７は、例えば周波数１４５ｋＨｚの電磁波を受信すると、受信信号Ｓ３５を制御部３２に出力する。
【００３９】
アンテナ器３０ａ，３０ｂは、盗難者が、商品の清算を行わずに、前述した図５〜７に示すブザータグ１０を取り付けたままの商品を持ち去ろうとして出入口に来ると、警報出力部３３が警報を出力する。それと同時に、図６に示すブザータグ１０の警報出力部２３も警報を出力する。
【００４０】
すなわち、ブザータグ１０を取り付けた商品がアンテナ器３０ａ，３０ｂに近づくと、図６に示すブザータグ１０の発信部２４から送信される周波数１４５ＫＨｚの電磁波を図９に示す受信アンテナ部３７によって受信部３５が受信する。この受信によって、受信部３５から受信信号Ｓ３５が制御部３２に出力される。制御部３２は、警報出力部３３に警報開始信号Ｓ３２ａを出力し、警報出力部３３から警報音が出力されると共に、図８に示す警報ランプ３３が点灯する。
それと同時に、発信アンテナ部３６によって発信部３４から送信された周波数３２ｋＨｚの電磁波を図６に示すブザータグ１０の受信部２５が受信する。この受信によって、受信部２５から受信信号Ｓ２５が制御部２２に出力される。制御部２２は、警報出力部２３に警報開始信号Ｓ２２ａを出力し、警報出力部２３から警報が出力される。
【００４１】
また、アンテナ器３０ａ，３０ｂは、盗難者が、図２〜５に示すブザータグ解除装置１を店外に持ち出そうとして出入口に来ると、警報出力部３３が警報を出力する。それと同時に、図２に示すブザータグ解除装置１の警報出力部３も警報を鳴らす。
【００４２】
すなわち、ブザータグ解除装置１がアンテナ器３０ａ，３０ｂに近づくと、図２に示すブザータグ解除装置１の発信部４から送信される周波数１４５ＫＨｚの電磁波を図９に示す受信アンテナ部３７によって受信部３５が受信する。この受信によって、受信部３５から受信信号Ｓ３５が制御部３２に出力される。制御部３２は、警報出力部３３に警報開始信号Ｓ３２ａを出力し、警報出力部３３から警報が出力されると共に、図８に示す警報ランプ３３が点灯する。
それと同時に、発信アンテナ部３６によって発信部３４から送信された周波数３２ｋＨｚの電磁波を図２に示すブザータグ解除装置１の受信部５が受信する。この受信によって、受信部５から受信信号Ｓ５が制御部２に出力される。制御部２は、警報出力部３に警報開始信号Ｓ２ａを出力し、警報出力部３から警報が出力される。
【００４３】
また、例えば、他店において盗難されたブザータグ解除装置１を携帯した盗難者が店内に入ろうとしたときに、ブザータグ解除装置１を店内から持ち去ろうとしたときと同様に、アンテナ３０ａ，３０ｂから警報が出力されると共に、この盗難されたブザータグ解除装置１からも警報が出力される。そのため、店員は、ブザータグ解除装置１が店内に持ち込まれようとしていることを知ることができ、盗難者がブザータグ解除装置１を用いて商品に取り付けられたブザータグ１を不正に取り外すことを事前に防止することができる。
【００４４】
以上説明したように、本実施形態の盗難監視装置および警報タグ解除装置では、ブザータグ解除装置が盗難された場合でも、一定時間後に、そのブザータグ解除装置の機能は停止することから、ブザータグ解除装置が悪用されることを効果的に抑制できる。
また、本実施形態に係わる盗難監視装置およびブザータグ解除装置１によれば、商品のみならず、ブザータグ解除装置１が盗難されることを効果的に抑制でき、盗難したブザータグ解除装置１が他の店内で不当に使用されることを防止できる。その結果、盗難監視装置の盗難監視機能を適切に発揮させることができる。
【００４５】
第２実施形態
図１０は、本実施形態に係わる盗難監視装置のブザータグ解除装置２００および解除装置ホルダー７０の構成図である。
図１０に示す構成要素のうち図４と同じ符号を付した構成要素は、前述したものと同じである。
ブザータグ解除装置２００は、解除装置ホルダー７０の保持用凹部７０ａに保持されていない状態で、一定時間経過すると、ブザータグ解除装置１００と同様に、図１に示す解除部６０の解除機能を停止する。このとき、例えば、ブザータグ解除装置２００は、リードスイッチ７１ａ，７１ｂ，７１ｃをオフにする。制御部２ａは、リードスイッチ７１ａ，７１ｂ，７１ｃから、オン信号Ｓ７１ａ，Ｓ７１ｂ，Ｓ７１ｃの全てを入力するまで、解除部６０の解除機能停止状態を維持する。
【００４６】
本実施形態では、ブザータグ解除装置２００が解除装置ホルダー７０の保持用凹部７０ａに格納（保持）されると、ブザータグ解除装置２００に内蔵されたリードスイッチ７１ａ，７１ｂ，７１ｃと、解除装置ホルダー７０に内蔵された磁石７２ａ，７２ｂ，７２ｃとがそれぞれ近接して位置する。このとき、磁石７２ａ，７２ｂ，７２ｃからの磁力によって、それぞれリードスイッチ７１ａ，７１ｂ，７１ｃがオンし、オン信号Ｓ７１ａ，Ｓ７１ｂ，Ｓ７１ｃが制御部２ａに出力される。制御部２ａは、リードスイッチ７１ａ，７１ｂ，７１ｃの全てからオン信号を入力すると、図２に示す解除無効部６１に解除有効信号Ｓ２ｃを出力する。これによって、解除部６０における解除機能が復帰する。
【００４７】
ブザータグ解除装置２００におけるリードスイッチ７１ａ，７１ｂ，７１ｃの位置及び個数と、解除装置ホルダー７０における磁石７２ａ，７２ｂ，７２ｃの位置及び個数は、個々の盗難監視装置によって異なっている。そのため、ブザータグ解除装置２００が盗難された場合に、このブザータグ解除装置２００を他の盗難監視装置の解除装置ホルダーに装着しても、リードスイッチ７１ａ，７１ｂ，７１ｃの位置及び個数と、当該他の解除装置ホルダーの磁石の位置及び個数とは異なり、リードスイッチ７１ａ，７１ｂ，７１ｃの全てがオンすることは殆どない。その結果、ブザータグ解除装置２００の解除機能は復帰しない。
このように、本実施形態に係わる盗難監視装置によっても、前述した第１実施形態に係わる盗難監視装置と同様の機能が発揮される。
【００４８】
第３実施形態
図１１は、本実施形態に係わる盗難監視装置のブザータグ解除装置３００および解除装置ホルダー９０の構成図である。
図１１に示す構成要素のうち図４と同じ符号を付した構成要素は、前述したものと同じである。
ブザータグ解除装置３００は、解除装置ホルダー９０の保持用凹部９０ａに保持されていない状態で、一定時間経過すると、ブザータグ解除装置３００と同様に、図１に示す解除部６０の解除機能を停止する。このとき、例えば、ブザータグ解除装置３００は、リミットスイッチ９１ａ，９１ｂ，９１ｃをオフにする。制御部２ｂは、リードスイッチ９１ａ，９１ｂ，９１ｃから、オン信号Ｓ９１ａ，Ｓ９１ｂ，Ｓ９１ｃの全てを入力するまで、解除部６０の解除機能停止状態を維持する。
【００４９】
本実施形態では、ブザータグ解除装置３００が解除装置ホルダー９０の保持用凹部９０ａに格納（保持）されると、ブザータグ解除装置３００に設けられたリミットスイッチ９１ａ，９１ｂ，９１ｃが内蔵された凹部と、解除装置ホルダー９０に設けられた突起部９２ａ，９２ｂ，９２ｃとがそれぞれ嵌合する。これによって、リミットスイッチ９１ａ，９１ｂ，９１ｃと、突起部９２ａ，９２ｂ，９２ｃとが接続する。このとき、突起部９２ａ，９２ｂ，９２ｃによって、それぞれリミットスイッチ９１ａ，９１ｂ，９１ｃがオン状態となり、リミットスイッチ９１ａ，９１ｂ，９１ｃからオン信号Ｓ９１ａ，Ｓ９１ｂ，Ｓ９１ｃが制御部２ｂに出力される。制御部２ｂは、リミットスイッチ９１ａ，９１ｂ，９１ｃの全てからオン信号を入力すると、図２に示す解除無効部６１に解除有効信号Ｓ２ｃを出力する。これによって、解除部６０における解除機能が復帰する。
【００５０】
ブザータグ解除装置３００におけるリミットスイッチ９１ａ，９１ｂ，９１ｃの位置及び個数と、解除装置ホルダー９０における突起部９２ａ，９２ｂ，９２ｃの位置及び個数は、個々の盗難監視装置によって異なっている。そのため、ブザータグ解除装置３００が盗難された場合に、このブザータグ解除装置３００を他の盗難監視装置の解除装置ホルダーに装着しても、リミットスイッチ９１ａ，９１ｂ，９１ｃの位置及び個数と、当該他の解除装置ホルダーの突起部の位置及び個数とは異なり、リミットスイッチ９１ａ，９１ｂ，９１ｃの全てがオンすることは殆どない。その結果、ブザータグ解除装置３００の解除機能は復帰しない。
そのため、本実施形態に係わる盗難監視装置によっても、前述した第１実施形態に係わる盗難監視装置と同様の機能が発揮される。
【００５１】
本発明は、上述した実施形態には限定されない。例えば、図３に示すブザータグ解除装置１は、永久磁石７を移動を、ソレノイド８ではなくモータなどを用いて行うようにしてもよい。
【００５２】
また、図２〜４に示すブザータグ解除装置１は、装着用凹部６ａにブザータグ解除装置１が装着されたときに、ブザータグ解除装置１の内蔵電池の電圧をチェックし、一定値以上であれば緑のＬＥＤを点灯し、そうでない場合には赤のＬＥＤを点灯するようにしてもよい。
また、上述した実施形態では、ブザータグ１０およびブザータグ解除装置１の少なくとも一方が出入口に近づいたときに、アンテナユニット３０とブザータグ１０およびブザータグ解除装置１との双方が警報を出力する場合について例示したが、いずれか一方のみから警報が出力されるようにしてもよい。
【００５３】
さらに、本実施形態においてはブザーダグ１０またはブザータグ解除装置１が電磁波を送信し、アンテナユニット３０が当該電磁波を検知すると、警報を出力すると共に、ブザータグ１０またはブザータグ解除装置１に電磁波を送信し、当該電磁波を受信して警報を出力するようにしたが、アンテナユニット３０が電磁波を送信し、ブザータグ１０またはブザータグ解除装置１が当該電磁波を検知すると、警報を出力すると共に、アンテナユニット３０に電磁波を送信し、これを受信して警報を出力するようにしてもよい。
【００５４】
【発明の効果】
以上説明したように、本発明の盗難監視装置および警報タグ解除装置によれば、ブザータグ解除装置が盗難された場合でも、一定時間後に、そのブザータグ解除装置の機能は停止することから、ブザータグ解除装置が悪用されることを効果的に抑制できる。
また、本発明の盗難監視装置および警報タグ解除装置によれば、商品のみならず、警報タグ解除装置が盗難されることを効果的に抑制でき、盗難した警報タグ解除装置が他の店内で不当に使用されることを防止できる。その結果、盗難監視装置の盗難監視機能を適切に発揮させることができる。
また、本発明の盗難監視装置および警報タグ解除装置によれば、他店において盗難された警報タグ解除装置が不正に店内に持ち込まれ、使用されることを防止できる。
【図面の簡単な説明】
【図１】図１は、本発明の実施形態に係わる盗難監視装置が設置された店舗の概念図である。
【図２】図２は、本発明の第１実施形態に係わるブザータグ解除装置の部分構成図である。
【図３】図３は、図２に示すブザータグ解除装置の解除機構を説明するための平面図である。
【図４】図４は、本発明の実施形態に係わる解除装置ホルダーを説明するための平面図である。
【図５】図５は、本実施形態に係わるブザータグの外観図である。
【図６】図６は、図５に示すブザータグの電気的要素の構成図である。
【図７】図７は、図５に示すブザータグの機械的要素の構成図である。
【図８】図８は、アンテナユニットの外観斜視図である。
【図９】図９は、アンテナユニットのアンテナ器の電気的要素の構成図である。
【図１０】図１０は、本発明の第２実施形態に係わるブザータグ解除装置の部分構成図である。
【図１１】図１１は、本発明の第３実施形態に係わるブザータグ解除装置の部分構成図である。
【符号の説明】
１…ブザータグ解除装置、２，２２，３２…制御部、３，２３，３３…警報出力部、４，２４，３４…発信部、５，２５，３５…受信部、１０…ブザータグ、３０…アンテナユニット、３０ａ，３０ｂ…アンテナ器、３６…発信アンテナ部、３７…受信アンテナ部、５０…解除装置ホルダー、５１…内部抵抗、６０…解除部、６１…解除無効部、６２…タイマー部、６３…ホルダー接続部、７１ａ，７１ｂ，７１ｃ…リードスイッチ、７２ａ，７２ｂ，７２ｃ…磁石、９１ａ，９１ｂ，９１ｃ…リミットスイッチ、９２ａ，９２ｂ，９２ｃ…突起部
【図１】
0003685859.tif 000002
【図２】
0003685859.tif 000003
【図３】
0003685859.tif 000004
【図４】
0003685859.tif 000005
【図５】
0003685859.tif 000006
【図６】
0003685859.tif 000007
【図７】
0003685859.tif 000008
【図８】
0003685859.tif 000009
【図９】
0003685859.tif 000010
【図１０】
0003685859.tif 000011
【図１１】
0003685859.tif 000012